(57)【要約】  送信システムは、前の送信システム（ＤＶＢ−Ｔ）と下位互換性があり、それにより、前のシステムの受信器は、新たな送信システムの送信器によって送信された信号を受信することができる。新たなサービスに対応する更なる情報ビットを送信するために新たな変調が使用される。この新たな変調は、前の変調を新たに形成された過変調と組み合わせることにより定められる。
2007503734.tif 000002
【特許請求の範囲】
【請求項１】
一組のキャリア上にわたって情報信号を送信するためのマルチキャリア送信システムであって、前記一組のキャリアは、サブキャリアを示すキャリアの部分組を備え、前記各サブキャリアは、複素記号を含む第１の変調にしたがって変調され、前記複素記号の実数部分は、更なる情報信号を伝える第２の群の複素記号の実数部分と、パラメータ送信信号を伝える第３の群の複素記号の実数部分との組み合わせに比例し、前記第１の変調の記号の複素部分は、前記第２の群の記号の複素部分の組み合わせに比例する、マルチキャリア送信システム。
【請求項２】
前記第３の変調がＤＢＰＳＫタイプであり、前記第２の群の一対の記号が角度を成し、その角度が９０度より小さい、請求項１に記載のシステム。
【請求項３】
前記サブキャリアは、ＤＶＢ−Ｔ送信システムのＤＢＰＳＫ変調されたＴＰＳキャリアである、請求項２に記載のシステム。
【請求項４】
前記第２の群のｚで示される複素記号は、ｚ∈｛１＋ｊ．０，５，１−ｊ．０，５｝またはｚ∈｛３＋ｊ．０，２−ｊ，１＋ｊ．０｝またはｚ∈｛７＋ｊ．０，６−ｊ，６＋ｊ，５＋ｊ．０，４−ｊ．３，５−ｊ．２，３−ｊ．２，４−ｊ，４＋ｊ．３，３＋ｊ．２，５＋ｊ．２，４＋ｊ，１＋ｊ．０，２＋ｊ，２−ｊ，３＋ｊ｝によって規定される、請求項３に記載のシステム。
【請求項５】
前記キャリアの部分組におけるサブキャリアのインデックスが時間と共に変化する、請求項１に記載のシステム。
【請求項６】
一組のキャリア上にわたって情報信号を送信するためのマルチキャリア送信装置であって、前記一組のキャリアは、サブキャリアを示すキャリアの部分組を備え、前記各サブキャリアは、複素記号を含む第１の変調にしたがって変調され、前記複素記号の実数部分は、更なる情報信号を伝える第２の群の複素記号の実数部分と、パラメータ送信信号を伝える第３の群の複素記号の実数部分との組み合わせに比例し、前記第１の変調の記号の複素部分は、前記第２の群の記号の複素部分の組み合わせに比例する、マルチキャリア送信装置。
【請求項７】
一組のキャリア上にわたって情報信号を受信するためのマルチキャリア受信装置であって、前記一組のキャリアは、サブキャリアを示すキャリアの部分組を備え、前記各サブキャリアは、複素記号を含む第１の変調にしたがって変調され、前記複素記号の実数部分は、更なる情報信号を伝える第２の群の複素記号の実数部分と、パラメータ送信信号を伝える第３の群の複素記号の実数部分との組み合わせに比例し、前記第１の変調の記号の複素部分は、前記第２の群の記号の複素部分の組み合わせに比例する、マルチキャリア受信装置。
【請求項８】
一組のキャリア上にわたって情報信号を送信するためのマルチキャリア送信方法であって、前記一組のキャリアがサブキャリアを示すキャリアの部分組を備えている方法において、複素記号を含む第１の変調にしたがって前記各サブキャリアを変調するステップを含み、前記複素記号の実数部分は、更なる情報信号を伝える第２の群の複素記号の実数部分と、パラメータ送信信号を伝える第３の群の複素記号の実数部分との組み合わせに比例し、前記第１の変調の記号の複素部分は、前記第２の群の記号の複素部分の組み合わせに比例する、マルチキャリア送信方法。
【請求項９】
一組のキャリア上にわたって情報ビットを送信するためのマルチキャリア送信信号であって、前記一組のキャリアは、サブキャリアを示すキャリアの部分組を備え、方法は、複素記号を含む第１の変調にしたがって前記各サブキャリアを変調するステップを含み、前記複素記号の実数部分は、更なる情報信号を伝える第２の群の複素記号の実数部分と、パラメータ送信信号を伝える第３の群の複素記号の実数部分との組み合わせに比例し、前記第１の変調の記号の複素部分は、前記第２の群の記号の複素部分の組み合わせに比例する、マルチキャリア送信信号。
【請求項１０】
一組の命令を計算する装置のためのコンピュータプログラム製品であって、前記装置内にロードされるときに、請求項８に記載の方法を前記装置に実行させる、コンピュータプログラム製品。
【発明の詳細な説明】
【技術分野】
【０００１】
本発明は一般にデジタル送信に関する。本発明は、特に、送信媒体にわたって更なる情報信号を送信するために新たな変調方式を使用する新たな送信システムであって、同じ送信媒体にわたって前の情報信号を送信するために前の変調方式を使用する前の送信システムと下位互換性がある新たな送信システムに関する。
【０００２】
本発明は、デジタル送信システムに適用され、特に、ＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ：地上波デジタルビデオ放送）推奨にしたがったデジタルテレビのための放送システムに適用される。
【背景技術】
【０００３】
２００２年４月３０日の優先日をもってＫｏｎｉｎｋｌｉｊｋｅ  Ｐｈｉｌｉｐｓ  Ｅｌｅｃｔｒｏｎｉｃｓにより２００３年４月１１日に提出された国際特許出願第ＰＣＴ／ＩＢ／０３／０１５４４号は、冒頭で述べたタイプの新たな送信システムについて記載している。このシステムによれば、前のシステムの受信器は、新たな送信システムによって送信された信号を受信することができる。このシステムの欠点は、新たな変調方式により、前の送信システムの受信器によって受信された信号に対してノイズが加わり、それにより、受信器が乱れる場合があるという点である。
【発明の開示】
【発明が解決しようとする課題】
【０００４】
本発明の目的は、前の送信システムの送信信号にわたって更なる情報を送信でき、前の送信システムと下位互換性があるとともに、良好な品質をもたらす改良された送信システムを提供することである。
【課題を解決するための手段】
【０００５】
この目的は、一組のキャリア上にわたって情報信号を送信するためのマルチキャリア送信システムであって、上記一組のキャリアは、サブキャリアを示すキャリアの部分組を備え、上記各サブキャリアは、複素記号を含む第１の変調にしたがって変調され、上記複素記号の実数部分は、更なる情報信号を伝える第２の群の複素記号の実数部分と、パラメータ送信信号を伝える第３の群の複素記号の実数部分との組み合わせに比例し、上記第１の変調の記号の複素部分は、上記第２の群の記号の複素部分の組み合わせに比例するマルチキャリア送信システムによって達成される。
【０００６】
本発明において、新たに形成された送信信号は、主要な一組のキャリア上にわたって前の情報信号を伝え、また、更なる情報信号は、前の情報信号とは別個に主要な一組のキャリアの部分組にわたって送信されるパラメータ送信信号中に組み込まれる。新たに形成される送信信号は（第１の）変調をもって送信され、この変調は、更なる情報信号を変調するようになっている（第２の）過変調と、パラメータ送信信号を変調するために使用される周知の（第３の）変調との組み合わせである。前のシステムの受信器による後の（第３の）変調の復調を乱すことなく、サブキャリアの（第３の）変調に重ねて（第２の）過変調が加えられるため、新たに形成された送信信号の受信および復調を前の送信システムの受信器によって行なうことができる。そして、前のシステムの受信器は、新たに形成された送信信号中に組み込まれる更なる情報信号の知識を何ら持つことなく前のシステムと共に行なったように、新たなシステムによって送信されたパラメータ送信信号および前の情報信号を受信して復調することができる。
【０００７】
本発明の好適な実施形態においては、上記第３の（ＴＰＳ）変調が差分バイナリ位相シフトキーイング（ＤＢＰＳＫ）変調型であり、これにより、送信されるビットは、差分変調の送信される記号の変化によって決定され、また、第２の（過）変調の記号は、第２の群中の任意の対の記号が９０度より小さい角度を成すように予め決められている、新たな送信システムが提供される。これにより、前の送信信号の復調を乱さないように第２の変調の記号が予め決定されるため、新たな送信システムの信号の受信によって前の送信システムの受信器が乱れないようにすることができ、有益である。
【０００８】
本発明においては、送信装置、受信装置、送信方法、コンピュータプログラム製品、送信信号についても記載されている。
【０００９】
本発明および本発明を実施するために任意に使用できる更なる特徴は、図面から明らかであり、以下、当該図面を参照しながら本発明および上記特徴について説明する。
【発明を実施するための最良の形態】
【００１０】
以下の所見は参照符号に関連する。異なる図面中の同様の参照符号は同様の構成要素を示している。
【００１１】
図１は、その内部で本発明を使用できるＤＶＢ−Ｔシステムの送信チェーンを表わす機能ブロック図である。説明の全てにおいては、ＤＶＢ−Ｔシステムが一例として使用されているが、本発明は任意の他のデジタル送信システムに対して適用される。送信チェーンは、簡単に言うと、
−  デジタルデータ（トランスポートストリーム）を送信するためのＭＰＥＧ−２ソース１０と、
−  チャンネルコーディング・変調ブロック１１と、
−  ＯＦＤＭフレーム適合ブロック１２と、
−  信号を周波数領域から時間領域へと変換するためのＯＦＤＭ・ガードインターバル挿入ブロック１３と、
−  デジタル−アナログ変換を行なうとともにアンテナ１５への電力（出力）送信を行なうためのフロントエンドブロック１４と、
−  パイロットキャリア（搬送波）およびＴＰＳキャリアをメインＤＶＢ−Ｔストリーム中に挿入するためのパイロット・ＴＰＳ信号ブロック１６と、
を備えている。
【００１２】
ＤＶＢ−Ｔ規格内で動作の２つのモードが規定される。「２Ｋモード」は、単一送信動作（シングルトランスミッタ動作）および送信距離が限られた小さなＳＦＮ（単一周波数ネットワーク）ネットワークに適している。「８Ｋモード」は、単一送信動作と、小さいおよび大きいＳＦＮネットワークとの両方に適している。
【００１３】
ＤＶＢ−ＴシステムはＯＦＤＭ（直交周波数分割多重）送信を使用する。１ＯＦＤＭフレーム中の全てのデータキャリアは、ＱＰＳＫ、１６−ＱＡＭ、６４−ＱＡＭ、または、不均一６４−ＱＡＭ群を使用して変調される。これらに適用されるグレイマッピングの群（配置）および詳細はＥＴＳＩ  ＥＮ  ３００  ７４４推奨の段落４．３．５、図９に示されており、この引用された推奨の全体は参照することにより本願に組み込まれる。
【００１４】
送信された信号はフレームに編成される。各フレームは６８個のＯＦＤＭ記号から成る。各記号は、８ＫモードのＫ＝６８１７個のキャリアと２ＫモードのＫ＝１７０５個のキャリアとの組によって構成されている。送信されたデータに加えて、ＯＦＤＭフレームは、パイロットキャリアおよびＴＰＳ（送信パラメータ信号）キャリアを含んでいる。パイロットは、フレーム同期、周波数同期、チャンネル評価、送信モード識別において使用できる。パイロットは、そのそれぞれのキャリアインデックスに対応する基準シーケンスにしたがって変調される。この基準シーケンスもＴＰＳ情報の開始段階を管理する。
【００１５】
ＴＰＳキャリアは、送信チェーンに関連する、すなわち、チャンネルコーディング・変調に関連するパラメータを送信する目的で使用される。ＴＰＳは、２Ｋモードにおいては１７個のＴＰＳキャリアにより並行して送信され、８Ｋモードにおいては６８個のＴＰＳキャリアによって並行して送信される。同じ記号中の全てのＴＰＳキャリアは、同じ区別を付けてエンコードされた情報ビットを伝達する。ＴＰＳは、１ＯＦＤＭフレームと称される６８個の連続するＯＦＤＭ記号にわたって規定される。各ＯＦＤＭ記号は１ＴＰＳビットを伝える。各ＴＰＳブロック（１ＯＦＤＭフレームに対応している）は、以下のように規定される６８個のビット、すなわち、１つの初期化ビットと、１６個の同期ビットと、３７個の情報ビットと、エラー防止用の１４個の冗長ビットとを含んでいる。３７個の情報ビットのうち、３１個が現在使用されており、６個は、その後の使用のために保留されており、ゼロに設定されていなければならない。各ＯＦＤＭフレームの最初の記号のＴＰＳキャリアに対応する基準シーケンスは、各ＴＰＳキャリア上でＴＰＳ変調を初期化するために使用される。全てのＴＰＳキャリアは、ＤＢＰＳＫ変調されるとともに、同じメッセージを伝える。ＤＢＰＳＫは、（６８ビットの）各ＴＰＳブロックの初めに初期化される。ＤＢＰＳＫ変調においては、１つの記号から次の記号への符号の変化が情報ビットを伝える。
【００１６】
図２は、ＯＦＤＭキャリアの各ＯＦＤＭ記号におけるＴＰＳの差分（差動）ＤＢＰＳＫ変調のマッピングを示している。以下の規則が適用される。
Ｓl＝０である場合、Ｒｅ｛Ｃl｝＝Ｒｅ｛Ｃl−１｝；Ｉｍ｛Ｃl｝＝０
Ｓl＝１である場合、Ｒｅ｛Ｃl｝＝−Ｒｅ｛Ｃl−１｝；Ｉｍ｛Ｃl｝＝０
ここで、１はＯＦＤＭ記号のインデックスであり、Ｓ１は送信されたＴＰＳであり、Ｃlは複素ＴＰＳ記号である。ＴＰＳ記号は図２において２つの点で表わされている。図２はＤＢＰＳＫ群の２つの点を示している。
【００１７】
以下、ＤＶＢ−Ｔ信号中に更なる情報を含む新たなサービスを送信でき、ＴＰＳ信号を使用して既存の受信器を乱すことなくこの更なる情報を伝える発明の好適な実施形態について説明する。ＤＶＢ−Ｔシステムに適用されるこの実施形態においては、所定の基準を満たす点群を有するコヒーレントな「変調」（階層変調）が、キャリア毎にＴＰＳのＤＢＰＳＫ記号にわたって加えられる。過変調は、新たなサービスに対応する更なる情報ビットを含んでいる。新たな群の実数部分の符号はＴＰＳ信号を含んでいる。ＴＰＳ信号の差分変調を乱さないように、群の任意の２つの点間の角度は、９０度を完全に下回っていなければならない。これにより、新たなサービスによるＴＰＳ信号のＤＢＰＳＫ変調のジャミング（妨害電波）が避けられる。角度が小さければ小さいほど、ジャミングが更に抑えられる。
【００１８】
好適な実施形態においては、更なる情報信号を送信するために全てのＴＰＳキャリアが使用される。他の実施形態においては、サブキャリア（副搬送波）の一部だけが使用される。これは、その一部に同じインデックスを持つキャリアだけを使用すること、または、そのインデックスが時間と共に変化するキャリアを使用することを含んでいる。他の実施形態においては、更なる情報中に冗長性を加えることにより、ビットレートの損害に対するシステムの頑強性（ローバスト性）を高めることができる。これは、サブキャリアの幾つかの記号にわたって同じビットをコピーすることにより得られる（引用された上記推奨に規定された規則的なＴＰＳ記号に関して）。
【００１９】
図３は、新たなサービスを含むＴＰＳ信号の新たな階層過変調の新たな群の複数の点における想定される位置を示している。群のこれらの点は、その偏角が４５度よりも小さい領域内に位置付けることができる。これらの領域が白で示されている。一方、不適切な位置は斜線領域に対応している。
【００２０】
図４Ａないし図４Ｃは、例えば、ＴＰＳ信号および新たなサービスを伝えるための新たな変調において想定される群の３つの好適な実施形態を示している。図４Ａないし図４Ｃのそれぞれにおいては、加えられた過変調の記号が黒の点で表わされており、新たに得られた変調は、黒の点および斜線の点の両方によって構成されている。新たに得られた変調の複数の点の実数部分の符号は、ＴＰＳ情報ビットを含んでいる。図３に示された角度要件を満たす多くの他の群を形成することができる。
【００２１】
図４Ａにおいては、各ＴＰＳキャリアによって新たなサービスを伝えるために、１つの情報ビットが使用される。新たなストリームの各ビットＹｉ（Ｙｉ∈｛０，１｝）は、黒で表わされた群の１つの点ｚ（ｚ∈｛１＋ｊ．０，５，１−ｊ．０，５｝）によって伝えられる。例えば、
ｚ＝１＋ｊ．０，５である場合には、Ｙｉ＝０
ｚ＝１−ｊ．０，５である場合には、Ｙｉ＝１
である。
【００２２】
図４Ｂにおいては、各ＴＰＳキャリアによる新たなサービスのために、一対の情報ビットが使用される。新たなストリームの各ビット対Ｙ０ｌ，Ｙ１ｌ（Ｙ０ｌ，Ｙ１ｌ∈｛００，０１，１１，１０｝）は、群の１つの点ｚ（ｚ∈｛ｎ＋ｊｍ｝）によって伝えられる（ｚ∈｛３＋ｊ．０，２−ｊ，２＋ｊ,１＋ｊ．０｝）。例えば、
ｚ＝３＋ｊ．０である場合には、Ｙ０ｉ＝０およびＹ１ｉ＝０
ｚ＝２−ｊである場合には、Ｙ０ｉ＝０およびＹ１ｉ＝１
ｚ＝２＋ｊである場合には、Ｙ０ｉ＝１およびＹ１ｉ＝０
ｚ＝１＋ｊ．０である場合には、Ｙ０ｉ＝１およびＹ１ｉ＝１
である。
【００２３】
図４Ｃにおいても、同じ原理が適用される。各ＴＰＳキャリアによる新たなサービスのために４つのビットが使用される。新たなストリームの各四つ組ビットＹ０ｌ，Ｙ１ｌ，Ｙ２ｌ，Ｙ３ｌは、群の１つの点ｚ（ｚ∈｛ｎ＋ｊｍ｝）によって伝えられる（ｚ∈｛７＋ｊ．０，６−ｊ，６＋ｊ，５＋ｊ．０，４−ｊ．３，５−ｊ．２，３−ｊ．２，４−ｊ，４＋ｊ．３，３＋ｊ．２，５＋ｊ．２，４＋ｊ，１＋ｊ．０，２＋ｊ，２−ｊ，３＋ｊ．０｝）。
【００２４】
３つの全ての例において、ＴＰＳキャリアの平均出力（電力）は、ＯＦＤＭ記号のデータキャリアの平均出力（電力）と等しくなければならない。Ｆｎで示される調整係数は、全てのタイプの変調において適用されなければならない。表１は、各変調Ａ，Ｂ，およびＣにおいて適用される調整係数の例を示している。
【表１】
2007503734.tif 000003
【００２５】
図５は、ＴＰＳキャリアにわたる新たな変調の形成を示している。新たに得られた変調の複数の点の実数部分の符号は、ＴＰＳ情報ビットを含んでいる。ＯＦＤＭ記号１にわたってＴＰＳキャリアｋにより伝えられた新たなベクトルＣｌ，ｋは、以下のように規定される。
Ｒｅ｛Ｃｌ，ｋ｝＝Ｒｅ｛Ｓｔｐｓｌ，ｋ｝．Ｒｅ｛Ｓｎｅｗｉ｝．Ｆｎ
Ｉｍ｛Ｃｌ，ｋ｝＝Ｉｍ｛Ｓｎｅｗｉ｝．Ｆｎ
ここで、
−  Ｓｔｐｓｌ，ｋは、ＤＰＳＫ変調されたＴＰＳストリームの複素記号（Ｓｔｐｓｌ，ｋ∈｛１＋ｊ．０，−１＋ｊ．０｝）であり、
−  Ｓｎｅｗｉは、Ａ，ＢまたはＣのうちの任意の過変調で変調された新たなストリームの複素記号（Ｒｅ｛Ｓｎｅｗｉ｝＞０）であり、
−  Ｆｎは調整係数である。
【００２６】
図６は、本発明に係る変更されたＤＶＢ−Ｔ送信チェーンのブロック図である。この図は、新たなＴＰＳストリームがどのようにしてＤＶＢ−Ｔ信号中に挿入されるのかを示している。図１のブロックに加えて、
−  更なる情報データを供給するための新たなサービスソースブロック６１と、
−  情報データをランダムシーケンスと混合させるためのエネルギ分散ブロック６２と、
−  送信されるデータを適切な過変調のうちの１つにしたがってエンコードして変調するためのコーダブロック６３およびマッパ６４と、
−  新たなストリームをＤＶＢ−Ｔストリーム中に挿入する前に、新たなサービスを含む過変調されたデータをＴＰＳ信号およびパイロット信号と掛け合わせるための乗算器ブロック６５と、
を備えている。
【００２７】
この新たな変調によって伝えることができるビット数は、新たなサービスの所要の責任によって決まる。以下の表２は、選択された変調に対する新たなストリームの（エンコードされていない）割合を示している。
【表２】
2007503734.tif 000004
【００２８】
上記表２は、より責任があるＤＶＢ−Ｔモードにわたって少なくとも６１Ｋビットを加え且つ責任が最も低いモードにわたって３６８Ｋビットを加えることがこのようにして可能になることを示している。この割合は、メインＤＶＢ−Ｔストリームの範囲の均一性の損害に対して増大され或いは減少され得る。割合の損害に対する責任を高めるため、エラー修正コードも使用できる。
【００２９】
これはＤＶＢ−Ｔ受信を乱さない。それを必要とする復調器だけが新たなサービスをデコードすることができる。過変調は、パイロットキャリアを乱さず、あるいは、パイロットキャリアに影響を及ぼさない。また、過変調は、ＤＶＢ−Ｔ信号のデータキャリアを乱すこと或いは当該データキャリアに影響を及ぼすこともない。したがって、ペイロードに影響が及ばない。
【００３０】
ＤＢＰＳＫデコーディングだけが僅かに影響を受ける。これは、過変調がその符号を変えないからである。ＤＢＰＳＫのバイナリエラー確率Ｐｂが知られている。それは、
Ｐｂ＝１／２ｅ−ＳＮＲ
である。
ここで、
−  Ｐｂはビット誤り率であり、
−  ＳＮＲは、ホワイトガウスノイズのレベルを測定する信号対雑音比である。ＤＶＢ−Ｔ推奨のＴＰＳ信号の場合、各ビットは、２Ｋモードにおいて１７回繰り返され、８Ｋモードにおいて６８回繰り返される。２Ｋモードはあまり頑強ではなく、このモードのイミュニティ（耐雑音障害性）だけをチェックする必要がある。それは、結局、以下のようになる。
ＰｂＴＰＳ−２Ｋ＝１／２・ｅ−１７．ＳＮＲ
【００３１】
ＴＰＳ信号の割合は、ＯＦＤＭ記号の割合（ＯＤＦＭ記号毎に１ビット）に等しく、それにより、２Ｋモードにおいては、ガードインターバル１／３２をもって最大の割合を設定する。すなわち、
ＴＰＳｂｉｔ  ｒａｔｅ２Ｋ−１／３２＝１／Ｔｓ２Ｋ−１／３２＝２３１μｓ−１
＝４３２９ｂｉｔｓ／ｓ
ここで、Ｔｓは、引用された上記推奨の表５のＯＦＤＭ記号時間である。
【００３２】
ＴＰＳ信号を適切にデコードできるために必要なノイズレベルと良好な画質に必要なノイズレベルとを比較するため、１時間当たり１エラー未満に対応するＱＥＦ（擬似エラーフリー）品質基準を使用することができる。例えば、引用された上記推奨の表Ａ．１において、更に頑強なモードでのＱＥＦにおける最大ＳＮＲは３．１ｄＢである。ＱＥＦにおけるＴＰＳの許容可能な誤り率は以下の通りである。
ＰｂＱＥＦ＝１／（４３２９＊３６００）＝６．４１・１０−８
ＳＮＲＴＰＳ  ２Ｋ  ＱＥＦ＝１０・ｌｏｇ［ｌｎ（２・６．４１・１０−８）／−１７］
＝−０．３ｄＢ
【００３３】
なお、ＴＰＳのＳＮＲのレベルは、ＤＶＢ−Ｔペイロードストリームの更に頑強なモードにおいては、３．４ｄＢ高い。一般に、デコーダ（復号器）は、ロック（取得）時間に対応する非常に短い期間中にＴＰＳだけを使用するので、この割合（率）は非常に悲観的なものである。
【００３４】
図７は、ＢＥＲ（垂直軸）およびＳＮＲ（水平軸）に関する現在のＴＰＳストリームの態様と比較した、各過変調Ａ，ＢおよびＣにおける新たに形成されたストリームの態様を示している。６．４・１０−８のＢＥＲと３．１ｄＢのＳＮＲとによって構成される２つの限界が太い水平線および垂直線でそれぞれ示されている。図７は、過変調がＴＰＳ信号に影響を与えないと見なし得ることを示している。なぜなら、ＭＰＥＧ−２ストリームによって許容される最大レベルのノイズにおいて、ＴＰＳストリーム上のＢＥＲがＱＥＦ以下を保持しているからである。
【００３５】
選択された新たな過変調に応じて、メインＤＶＢ−Ｔストリームのデータにおける場合と同様の方法でコヒーレント変調を実現できる。これが図８ないし図１０に示されている。
【００３６】
図８は、タイプＡ過変調をデマッピングするための方法の一例を示している。以下の規則が適用される。この場合、Ｒは、図８において群の１つの点によって表わされる、受信されて復調された複素記号であり、また、Ｙ１は、生成するためのバイナリ記号｛０，１｝である。
Ｉｍ｛Ｒ｝＞０の場合には、Ｙｌ＝０であり、それ以外の場合には、Ｙｌ＝１である。
【００３７】
図９Ａないし図９Ｃは、記号１の所定のキャリアにおいてタイプＢ過変調をデマッピングするための方法の一例を示し、Ｒｌは、受信されて復調された複素記号であり、また、Ｙ０１，Ｙ１１は、４（２２＝４）個の想定される対｛００，０１，１１，１０｝間で生成するための対である。引用された上記推奨の表９ａに記載されたＤＶＢ−Ｔデータの従来のＱＰＳＫ変調と過変調とをマッチさせることができるとともに、ＤＶＢ−ＴストリームのＱＰＳＫ変調における場合と同じ方法で新たなＴＰＳストリームを復調することができる。この場合、同じハードウェアを使用できる。この目的のため、受信されて変調された記号Ｓｌを並進（translation）および回転（rotation）により記号Ｓｌ’へと以下のように変換することができる。
Ｒｅ｛Ｓｌ’｝＝｜Ｒｅ｛Ｓｌ｝｜−２−Ｉｍ｛Ｓｌ｝
Ｉｍ｛Ｓｌ’｝＝｜Ｒｅ｛Ｓｌ｝｜−２＋Ｉｍ｛Ｓｌ｝
Ｒｅ｛Ｓｌ’｝＞０の場合には、Ｙ０ｌ＝０であり、それ以外の場合には、Ｙ０ｌ＝１であり、Ｉｍ｛Ｓｌ’｝＞０の場合には、Ｙ１ｌ＝０であり、それ以外の場合には、Ｙ１ｌ＝１である。
【００３８】
図１０Ａないし図１０Ｃは、タイプＣ過変調をデマッピングするための方法の一例を示している。変調Ｂにおける場合と同じ以下のような原理が適用され、Ｓｌは受信されて復調された複素記号であり、Ｓｌ’は、記号Ｓｌの並進（translation）および回転(rotation)によって得られた記号であり、また、Ｙ０ｌ，Ｙ１ｌ，Ｙ２ｌ，Ｙ３ｌは、１６（２４＝１６）個の想定される四つ組｛００００，０００１，００１０，００１０，０１１１，０１０１，０１１０，０１００，１１０１，０１１１，１１００，１１１０，１０００，１０１０，１００１，１０１１｝間で生成するための四つ組である。
Ｒｅ｛Ｓｌ’｝＝｜Ｒｅ｛Ｓｌ｝｜−４−Ｉｍ｛Ｓｌ｝
Ｉｍ｛Ｓｌ’｝＝｜Ｒｅ｛Ｓｌ｝｜−４＋Ｉｍ｛Ｓｌ｝
Ｒｅ｛Ｓｌ’｝＞０の場合には、Ｙ０ｌ＝０であり、それ以外の場合には、Ｙ０ｌ＝１であり、
Ｉｍ｛Ｓｌ’｝＞０の場合には、Ｙ１ｌ＝０であり、それ以外の場合には、Ｙ１ｌ＝１であり、
Ｒｅ｛Ｓｌ’｝＞２の場合には、Ｙ２ｌ＝０であり、それ以外の場合には、Ｙ２ｌ＝１であり、
Ｉｍ｛Ｓｌ’｝＞２の場合には、Ｙ３ｌ＝０であり、それ以外の場合には、Ｙ３ｌ＝１である。
【００３９】
これにより、１６−ＱＡＭ  ＤＶＢ−Ｔストリームのような新たな（ＴＰＳ）サブストリームを復調することができる。
【図面の簡単な説明】
【００４０】
【図１】ＤＶＢ−Ｔ送信システムに係る送信チェーンを示す概略ブロック図である。
【図２】ＤＶＢ−Ｔ送信システムのサブキャリアの差分変調のマッピングを示す概略図である。
【図３】本発明の好適な実施形態に係る過変調における、群の複数の点のための想定される位置を示す概略図である。
【図４Ａ】本発明の好適な実施形態に係るＡで表わされる群を示す概略図である。
【図４Ｂ】本発明の好適な実施形態に係るＢで表わされる群を示す概略図である。
【図４Ｃ】本発明の好適な実施形態に係るＣで表わされる群を示す概略図である。
【図５】好適な実施形態の他のＢに係る新たな送信信号の形成を示す概略図である。
【図６】本発明の好適な実施形態に係る送信装置を示す概略ブロック図である。
【図７】本発明の好適な実施形態に係る、ビット誤り率ＢＥＲおよび信号対雑音比ＳＮＲに関する現在の送信信号の態様と比較した、各過変調Ａ，Ｂ，Ｃにおける新たな送信信号の態様を示す曲線である。
【図８】過変調Ａにしたがって変調された受信信号をデマッピングするための方法を示す概略図である。
【図９Ａ】過変調Ｂにしたがって変調された受信信号をデマッピングするための方法を示す概略図である。
【図９Ｂ】過変調Ｂにしたがって変調された受信信号をデマッピングするための方法を示す概略図である。
【図９Ｃ】過変調Ｂにしたがって変調された受信信号をデマッピングするための方法を示す概略図である。
【図１０Ａ】過変調Ｃにしたがって変調された受信信号をデマッピングするための方法を示す概略図である。
【図１０Ｂ】過変調Ｃにしたがって変調された受信信号をデマッピングするための方法を示す概略図である。
【図１０Ｃ】過変調Ｃにしたがって変調された受信信号をデマッピングするための方法を示す概略図である。
【図１】
2007503734.tif 000005
【図２】
2007503734.tif 000006
【図３】
2007503734.tif 000007
【図４Ａ】
2007503734.tif 000008
【図４Ｂ】
2007503734.tif 000009
【図４Ｃ】
2007503734.tif 000010
【図５】
2007503734.tif 000011
【図６】
2007503734.tif 000012
【図７】
2007503734.tif 000013
【図８】
2007503734.tif 000014
【図９Ａ】
2007503734.tif 000015
【図９Ｂ】
2007503734.tif 000016
【図９Ｃ】
2007503734.tif 000017
【図１０Ａ】
2007503734.tif 000018
【図１０Ｂ】
2007503734.tif 000019
【図１０Ｃ】
2007503734.tif 000020
【国際調査報告】
2007503734.tif 000021
2007503734.tif 000022
2007503734.tif 000023